(57)【要約】【課題】施工時や一時的な取り外し時には、手すりカバーを容易に取り外すことが可能である一方、手すりの使用時には離脱することのない手すりカバーの固定構造を提供する。【解決手段】ブラケットの軸心に沿う略水平の第１方向にスライドさせることでブラケットに着脱可能に装着される手すりカバーを有する手すりカバーの固定構造において、手すりカバーに対して少なくとも第１方向と交差する後方の第２方向への力が作用した場合に、手すりカバーに第１方向の力が作用した場合に比べて、手すりカバーのスライドを規制する係合力を増大させる係合力調整部を設けた。【選択図】図７
2010077701.tif 000002
【特許請求の範囲】
【請求項１】
上下方向に亘って配置される握りバーと、該握りバーの上下端のぞれぞれに略水平方向に配設されるとともに、挿通されるボルトによって一端が壁面に対し固定され、他端が握りバーに対し固定されるブラケットと、少なくとも前記握りバーの上端に配設される前記ブラケットに挿通される前記ボルトを覆うとともに、該ブラケットの軸心に沿う略水平の第１方向にスライドさせることで該ブラケットに着脱可能に装着される手すりカバーと、を有する手すりカバーの固定構造において、
前記ブラケットに対し固定され、前記手すりカバーをスライド自在に保持する固定板を備え、
前記固定板には、前記手すりカバーに設けられた係合溝と係合する係合突起が設けられ、
前記手すりカバーと前記固定板間には、前記手すりカバーに対して少なくとも前記第１方向と交差する後方の第２方向への力が作用した場合に、前記手すりカバーに前記第１方向の力が作用した場合に比べて、前記手すりカバーのスライドを規制する係合力を増大させる係合力調整部が設けられていることを特徴とする手すりカバーの固定構造。
【請求項２】
前記係合力調整部は、前記手すりカバーに前記第２方向で後斜め下方の力が作用すると、前記係合力がさらに増大するよう構成されていることを特徴とする請求項１記載の手すりカバーの固定構造。
【請求項３】
前記係合力調整部は、前記手すりカバーに前記第１方向にスライドさせる力が作用することで前記係合突起を上方に移動させ、前記係合溝との係合を解除するよう構成されたものであって、
前記手すりカバーに前記第１方向にスライドさせる力が作用した場合は、前記係合突起の上方への移動を規制しない一方、
前記手すりカバーに前記第２方向への力が作用し、前記手すりカバーが前記第１方向を回動軸として傾斜した場合は、前記係合突起の上方への移動を規制するよう構成されていることを特徴とする請求項１または２に記載の手すりカバーの固定構造。
【請求項４】
前記係合力調整部は、前記手すりカバーに前記第１方向にスライドさせる力が作用することで前記係合突起を上方且つ前記手すりカバーの内方に移動させ、前記係合溝との係合を解除するよう構成されたものであって、
前記手すりカバーに前記第１方向にスライドさせる力が作用した場合は、前記係合突起の上方且つ前記手すりカバーの内方への移動を規制しない一方、
前記手すりカバーに前記第２方向への力が作用し、前記手すりカバーが水平方向に回転した場合は、前記係合突起の前記手すりカバーの内方への移動を規制するよう構成されていることを特徴とする請求項１〜３のいずれかに記載の手すりカバーの固定構造。
【請求項５】
前記手すりカバーには、
前記第１方向に延びる一対のスライド溝と、
前記一対のスライド溝の前記第１方向における略中央部に設けられた拘束溝であって、前記手すりカバーの外方に向け凸となる湾曲面を有する一対の拘束溝と、
前記拘束溝の下方に連続するとともに、溝の深さが前記拘束溝より深い縦溝と、を備え、
前記固定板には、
前記一対の拘束溝の湾曲面にそれぞれ当接して係合する一対の係合突起と、
前記係合突起の下面に設けられ、前記縦溝に係合する係合力調整突起と、を備えたことを特徴とする請求項１記載の手すりカバーの固定構造。
【発明の詳細な説明】
【技術分野】
【０００１】
本発明は手すりカバーの固定構造に関し、より具体的には、壁面に対し固定して使用される手すりにおいて、スライドさせることによって着脱可能な手すりカバーの固定構造に関する。
【背景技術】
【０００２】
壁面に対し固定して使用されるとともに、ブラケット本体に対し着脱可能に装着されるカバーを具備する手摺が知られている（例えば、特許文献１）。
【０００３】
特許文献１に開示された手摺のカバーには複数の係止爪が突設されており、それらをベース部材やブラケット本体に設けられた係止切り欠きに係合させることで被着される。カバーはベース部材とブラケット本体の固定部を外部から被覆して目隠ししているほか、複数の係止爪はカバーの内方に設けられ被着時は外部から見えないため、手摺の美観を向上させている。
【特許文献１】特開２００８−５７１０５号公報
【発明の開示】
【発明が解決しようとする課題】
【０００４】
使用者が手摺を使用する際に、棒状の手摺ではなく、手摺の端部のカバーを把持することがある。特に、手摺が上下方向に配置される場合等には、使用者が手摺上端のブラケット本体に装着されたカバーに手を掛けて起立動作等を行うことが多々ある。この際、特許文献１に開示された手摺では、使用者の体重により当該カバーには大きな力が作用するため、使用中であるにもかかわらず、ベース部材やブラケット本体との係合が解除されてカバーが離脱してしまうおそれがあった。
【０００５】
これに対して、カバーとベース部材やブラケット本体との係合力を高めることで、使用中のカバーの離脱を防止することも考えられる。しかし、単純に係合力を高めたのでは施工時やカバーの一時的な取り外しの際に、カバーを容易に取り外すことができず、作業性が悪化するという問題が生じてしまう。
【０００６】
本発明は、かかる課題の認識に基づいてなされたものであり、施工時や一時的な取り外し時には、容易に手すりカバーを取り外すことが可能である一方、手すりの使用時には離脱することのない手すりカバーの固定構造を提供することを目的とする。
【課題を解決するための手段】
【０００７】
上記課題を解決するために、本発明に係る手すりカバーの固定構造は、上下方向に亘って配置される握りバーと、該握りバーの上下端のぞれぞれに略水平方向に配設されるとともに、挿通されるボルトによって一端が壁面に対し固定され、他端が握りバーに対し固定されるブラケットと、少なくとも前記握りバーの上端に配設される前記ブラケットに挿通される前記ボルトを覆うとともに、該ブラケットの軸心に沿う略水平の第１方向にスライドさせることで該ブラケットに着脱可能に装着される手すりカバーと、を有する手すりカバーの固定構造において、前記ブラケットに対し固定され、前記手すりカバーをスライド自在に保持する固定板を備え、前記固定板には、前記手すりカバーに設けられた係合溝と係合する係合突起が設けられ、前記手すりカバーと前記固定板間には、前記手すりカバーに対して少なくとも前記第１方向と交差する後方の第２方向への力が作用した場合に、前記手すりカバーに前記第１方向の力が作用した場合に比べて、前記手すりカバーのスライドを規制する係合力を増大させる係合力調整部が設けられていることを特徴とする。
【０００８】
本発明によれば、壁面への手すりの施工時や、手すりカバーの一時的な取り外しを行う際に、手すりカバーを第１方向にスライドさせる力を作用させたときは、手すりカバーのスライドを規制する係合力を小さく抑えて高い作業性を発揮することができる。一方、使用者が握りバーの上端側の手すりカバーに手を掛けると、手すりカバーに作用する第２方向への力によって上記係合力が増大するよう構成されているため、手すりの使用時に手すりカバーがブラケットから離脱してしまうことがない。すなわち、施工時の作業性と、使用時の安全性との両立を図ることができる。
【０００９】
請求項２に係る手すりカバーの固定構造では、前記係合力調整部は、前記手すりカバーに前記第２方向で後斜め下方の力が作用すると、前記係合力がさらに増大するよう構成されている。
【００１０】
本発明によれば、起立動作の際などに使用者が前方の手すりカバーに手を掛け、自身の体重を掛けることで、第２方向で後斜め下方に力が作用している場合と、手すりの施工時に手すりカバーを第１方向にスライドさせる場合とで、上記係合力に一層の差を設けることが可能となる。したがって、手すり使用時の安全性と、施工時の作業性をさらに高い次元で両立させることができる。
【００１１】
請求項３に係る手すりカバーの固定構造では、前記係合力調整部は、前記手すりカバーに前記第１方向にスライドさせる力が作用することで前記係合突起を上方に移動させ、前記係合溝との係合を解除するよう構成されたものであって、前記手すりカバーに前記第１方向にスライドさせる力が作用した場合は、前記係合突起の上方への移動を規制しない一方、前記手すりカバーに前記第２方向への力が作用し、前記手すりカバーが前記第１方向を回動軸として傾斜した場合は、前記係合突起の上方への移動を規制するよう構成されている。
【００１２】
スライドさせることによって手すりカバーをブラケットに着脱可能とするため、両者の間には間隙を設ける必要がある。したがって、手すりの使用時に手すりカバーに力が作用すると、必然的に手すりカバーのガタつきが生じる。
本発明は、この手すりカバーのガタつきを積極的に利用して上記係合力を変化させることで、複雑な構成を用いることなく、手すり使用時の安全性と施工時の作業性との両立が図れるよう工夫されたものである。すなわち、手すり使用時は手すりカバーに第２方向への力が作用することで、手すりカバーが第１方向を回動軸としてガタ分だけ傾斜し、係合突起の上方への移動が規制されるよう構成されている。したがって、手すりの使用時には係合突起と係合溝との係合力が確実に強まり、手すりカバーのブラケットからの離脱を確実に防止することができる。一方、一時的に手すりカバーを取り外す際は、手すりカバーに第１方向へ力が作用することで、手すりカバーは第１方向を回動軸とするような傾斜は発生せず係合突起の上方への移動は規制されないため、手すりカバーをブラケットから容易に取り外すことが可能であり、極めて良好な作業性も同時に維持できるように工夫されているものである。
【００１３】
請求項４に係る手すりカバーの固定構造では、前記係合力調整部は、前記手すりカバーに前記第１方向にスライドさせる力が作用することで前記係合突起を上方且つ前記手すりカバーの内方に移動させ、前記係合溝との係合を解除するよう構成されたものであって、前記手すりカバーに前記第１方向にスライドさせる力が作用した場合は、前記係合突起の上方且つ前記手すりカバーの内方への移動を規制しない一方、前記手すりカバーに前記第２方向への力が作用し、前記手すりカバーが水平方向に回転した場合は、前記係合突起の前記手すりカバーの内方への移動を規制するよう構成されている。
【００１４】
本発明は、上記手すりカバーのガタつきを積極的に利用して上記係合力を変化させることで、複雑な構成を用いることなく、手すり使用時の安全性と施工時の作業性との両立が図れるよう工夫されたものである。すなわち、手すり使用時は手すりカバーに第２方向への力が作用することで、手すりカバーが鉛直軸回りとなる水平方向にガタ分だけ回転し、係合突起の手すりカバー内方への移動が規制されるよう構成されている。したがって、手すりの使用時に係合突起と係合溝との係合力が確実に強まり、手すりカバーのブラケットからの離脱を確実に防止することができる。一方、一時的に取り外す際は、手すりカバーに第１方向へ力が作用することで、手すりカバーは水平方向に回転せず係合突起の手すりカバー内方への移動は規制されないため、手すりカバーをブラケットから容易に取り外すことが可能であり、極めて良好な作業性も同時に維持できるように工夫されているものである。
【００１５】
請求項５に係る手すりカバーの固定構造では、前記手すりカバーには、前記第１方向に延びる一対のスライド溝と、前記一対のスライド溝の前記第１方向における略中央部に設けられた拘束溝であって、前記手すりカバーの外方に向け凸となる湾曲面を有する一対の拘束溝と、前記拘束溝の下方に連続するとともに、溝の深さが前記拘束溝より深い縦溝と、を備え、前記固定板には、前記一対の拘束溝の湾曲面にそれぞれ当接して係合する一対の係合突起と、前記係合突起の下面に設けられ、前記縦溝に係合する係合力調整突起と、を備えた。
【００１６】
本発明によれば、簡易な構成により、手すりカバーに作用する力の方向の違いを利用して、一時的に手すりカバーを取り外す場合と、使用者が手すりカバーを把持して使用する場合とで係合力に大きな差を生じさせることができる。すなわち、施工時の作業性と、使用時の安全性との両立を図ることができる。
【発明の効果】
【００１７】
本発明によれば、施工時や一時的な取り外し時には、手すりカバーを容易に取り外すことが可能である一方、手すりの使用時には離脱することのない手すりカバーの固定構造を提供できる。
【発明を実施するための最良の形態】
【００１８】
以下、図面を参照しつつ本発明の実施形態について説明する。
図１は、本発明の実施の形態に係る手すりカバーの固定構造を備えたトイレ室の模式図である。
【００１９】
図１に表すトイレ室１００内には、床面１０１に載置して使用される腰掛便器１０２と、腰掛便器１０２の右側方の壁面１０３に取付固定され、前後方向に延在する棚板１０４と、が設けられている。また、棚板１０４の下方には、トイレットペーパー１０５やペーパーホルダー１０６が設けられている。
【００２０】
そして棚板１０４の上方には、上下方向に延在する手すり２００が壁面１０３に取付固定されている。手すり２００は、腰掛便器１０２よりやや前方に取付固定されている。手すり２００は、上下に亘って配置される円柱状の握りバー２０１を有している。握りバー２０１は、その上下端に設けられたブラケット２１０Ａ、２１０Ｂによって壁面１０３に対し固定されている。使用者は腰掛便器１０２に着座した状態から、前方の手すり２００に手を伸ばして把持し、体重をかけて起立動作を行うことができる。
【００２１】
図２は、本実施形態に係る手すり２００の使用形態を表す模式図である。
手すり２００の上下端のブラケット２１０Ａ、２１０Ｂは、それぞれに着脱可能に装着される手すりカバー２３０Ａ、２３０Ｂによって被覆されている。後に詳述するように、手すりカバー２３０Ａ、２３０Ｂは、先に壁面１０３に取付固定されているブラケット２１０Ａ、２１０Ｂに対し、壁面１０３の方向（図１に表す右側方）にスライドさせ、両者を係合させることで装着を行う。一方、ブラケット２１０Ａ、２１０Ｂに対し、手すりカバー２３０Ａ、２３０Ｂを壁面１０３に垂直な方向（図１に表す左側方）にスライドさせ、上記係合を解除することによって手すりカバー２３０Ａ、２３０Ｂの離脱を行う。
【００２２】
使用者は、図２（ａ）のように握りバー２０１を把持して手すり２００を使用することができる。また、図２（ｂ）に表すように、握りバー２０１の上端に設けられるブラケット２１０Ａを覆う手すりカバー２３０Ａを上方から把持して使用することもできる。このように、手すり２００が複数の位置を把持して使用可能なものであることを使用者に認知させるためには、例えば、握りバー２０１及び手すりカバー２３０Ａの表面に木目調の装飾が施してもよい。
【００２３】
ここで、使用者が図２（ｂ）のように腰掛便器１０２から立ち上がる際に手すり２００の手すりカバー２３０Ａを把持して使用した場合、手すりカバー２３０Ａには、矢印Ｆ１で表す向きに力が作用する。すなわち、手すり２００から見て後方且つ左側方の腰掛便器１０２に着座した使用者が、起立時に手を伸ばして使用するため、手すりカバー２３０Ａには後方且つ左側方斜め下への力が作用する。したがって、手すりカバー２３０Ａに作用する力には、壁面１０３に対して垂直な方向（図１に表す左側方）の成分Ｆ１’があるため、手すり２００の使用中にもかかわらず、手すりカバー２３０Ａがスライドし、係合が解除されてブラケット２１０Ａから離脱してしまうおそれがある。これに対して、本発明では後述するように、手すりカバー２３０Ａに後方への力が作用すると、手すりカバー２３０Ａとブラケット２１０Ａとの間の係合力が大きくなる。つまり、手すりカバー２３０Ａがブラケット２１０Ａから離脱し難くなる構成とされている。
【００２４】
次に、図３〜５を参照しつつ、手すり２００の構造の詳細を説明する。図３は本実施形態に係る手すり２００の上端部の分解図である。また、図４は本実施形態に係る固定板２６０の外観図であり、図４（ａ）は固定板２６０の上方からの斜視図、図４（ｂ）は固定板２６０を下方からの斜視図である。図５は本実施形態に係る手すりカバー２３０Ａの外観図であり、図５（ａ）は手すりカバー２３０Ａの上方からの斜視図、図５（ｂ）は手すりカバー２３０Ａの下方からの斜視図、図５（ｃ）は手すりカバー２３０Ａの底面図である。
【００２５】
ブラケット２１０Ａは、使用時に作用する力によって塑性変形が生じることがないよう、亜鉛ダイカスト等の剛性の高い金属で形成されており、側面視で略Ｌ字形状を成している。ブラケット２１０Ａは、壁面１０３に当接して固定される当接部２１１と、握りバー２０１の上端を固定する固定部２１２と、当接部２１１と固定部２１２とを連結する連結部２１３と、を有する。
【００２６】
当接部２１１には、剛性を高めるため周囲より厚肉に形成された段部２１４が設けられ、その４箇所に挿通穴２１５が穿設されている。挿通穴２１５のそれぞれに壁固定ボルト２５０が挿通され、壁面１０３にねじ込まれることにより、ブラケット２１０Ａが壁面１０３に対して固定される。固定部２１２の下面には、握りバー２０１の上端が嵌入する凹部が形成されているほか、握りバー２０１の上端に穿設されたねじ穴２０２と対応する位置に挿通穴２１６が穿設されている。この挿通穴２１６に挿通される手すりバー固定ボルト２５１を、握りバー２０１のねじ穴２０２にねじ込むことにより、握りバー２０１の上端がブラケット２１０Ａに対して固定される。ここで、手すりバー固定ボルト２５１は、ブラケット２１０Ａとの間に固定板２６０を介設してねじ穴２０２にねじ込まれる。
【００２７】
図４に表す固定板２６０は、十分な弾性を発揮できるよう樹脂材料で形成されており、平板状のベース部２６１を有する。ベース部２６１の前縁は円弧状に、後縁は直線的に形成されている。そしてベース部２６１の側部には、それぞれ上方に延在する肩部２６２ａ、２６２ｂを、外側面間の距離でＷ１をおいて対称に有する。そして肩部２６２ａ、２６２ｂからは、腕部２６３ａ、２６３ｂが壁面１０３側（図１に表す右側方）に向けて大きく延在している。
【００２８】
腕部２６３ａ、２６３ｂの壁面１０３側（図１に表す右側方）端部には、上面視で略三角形状を成す係合突起２６４ａ、２６４ｂが一体的に形成されている。係合突起２６４ａ、２６４ｂは、その頂部２６５ａ、２６５ｂが外側方に向けられているとともに、背面２６６ａ、２６６ｂ間に間隔Ｗ２をおいて離間している。したがって、頂部２６５ａ、２６５ｂに矢印Ｆ２ａ、Ｆ２ｂで表すような手すりカバー２３０Ａ内方への外力が作用することで、腕部２６３ａ、２６３ｂが弾性変形して内方に撓み、係合突起２６４ａ、２６４ｂが互いに接近する。
【００２９】
また、係合突起２６４ａ、２６４ｂの下面には、それぞれ下方に向け調整突起２６７ａ、２６７ｂが突設されている。この調整突起２６７ａ、２６７ｂは、係合突起２６４ａ、２６４ｂの頂部２６５ａ、２６５ｂに対応する位置から壁面１０３に垂直な方向（図１に表す左右方向）にそれぞれ傾斜する傾斜面２６８ａ、２６８ｂ、２６９ａ、２６９ｂを有する。また、調整突起２６４ａ、２６４ｂの側面を構成する調整突起側面２７０ａ、２７０ｂは、頂部２６５ａ、２６５ｂの側面である頂部側面２７１ａ、２７１ｂのそれぞれと面一に形成され、丸みを帯びている。ここで、調整突起側面２７０ａ、頂部側面２７１ａについては、それぞれ調整突起側面２７０ｂ、頂部側面２７１ｂと対称の位置にあり、図４では図示を省略している。
【００３０】
固定板２６０のベース部２６１の厚み方向には、２つの挿通孔２７２が穿設されている。この２つの挿通孔２７２に上述の手すりバー固定ボルト２５１が挿通され、手すりバー２０１のねじ穴２０２にねじ込まれることで、固定板２６０はブラケット２１０Ａに対して固定される。また、ベース部２６１の下面で、２つの挿通孔２７２の間には、規制突起２７３が突設されている。この規制突起２７３は、組立の際、固定板２６０がブラケット２１０Ａの上面に載置されたときに、ブラケット２１０Ａに穿設された規制孔２１７内に嵌入する。これにより、ブラケット２１０Ａに対する固定板２６０の無用な移動が規制され、手すりバー固定ボルト２５１のねじ込みの作業性が向上する。
【００３１】
図５に表す手すりカバー２３０Ａは、ＭＤＦ（中密度圧縮合板）などで成形されており、外表面は意匠性を向上させるために凹凸の少ない平滑面によって構成される。一方、手すりカバー２３０Ａの下方には、固体板２６０、手すりバー固定ボルト２５１等を収容して覆い隠すためのカバー凹部２３１が上方に向け凹設されている。
【００３２】
手すりカバー２３０Ａのカバー凹部２３１について詳述する。まず、手すりカバー２３０Ａの壁面１０３側（図１に表す右側）には、ブラケット２１０Ａの段部２１４を収容する段部収容部２３２が凹設されている。さらに、この段部収容部２３２に連続して、一対のスライド溝２３３が壁面１０３に垂直な方向（図１に表す左側方）に延びている。このスライド溝２３３は、カバー凹部２３１の天面２３４と、下方に突設された鍔部２３５との間に形成されている。
【００３３】
そして、手すりカバー２３０Ａの左右方向の略中央部において、スライド溝２３３には拘束溝２３６ａ、２３６ｂが凹設され、鍔部２３５には縦溝２３７ａ、２３７ｂが凹設されている。これら拘束溝２３６ａ、２３６ｂと縦溝２３７ａ、２３７ｂは、スライド溝２３３の内方端２３３Ｅと、鍔部２３５の内方端２３５Ｅから手すりカバー２３０Ａの外方（図１に表す前後方向）に向けてそれぞれ凹設されたものである。ここで、図５（ｃ）に、鍔部２３５の内方端２３５Ｅと縦溝２３７ａ、２３７ｂを太線で、スライド溝２３３の内方端２３３Ｅと拘束溝２３６ａ、２３６ｂを点線で表している。
【００３４】
縦溝２３７ａ、２３７ｂは、下面視で鍔部２３５の内方端２３５Ｅから直線状に延びる直線部２３７ａＳ、２３７ｂＳと、それに連続して延びる半径Ｒの円弧状をなす円弧部２３７ａＣ、２３７ｂＣと、からなる。鍔部２３５の内方端２３５Ｅからの深さは、Ｄ１に設定されている。この円弧部２３７ａＣ、２３７ｂＣの円弧の中心は、手すりカバー２３０Ａの前後方向及び左右方向の略中央部に位置する点Ｏに設定されている。
【００３５】
拘束溝２３６ａ、２３６ｂは、Ｄ１よりも浅い深さＤ２で、スライド溝２３３の内方端２３３Ｅから外方に向けて円弧状に凹設されている。そしてその形状は、縦溝２３７ａ、２３７ｂの円弧部２３７ａＣ、２３７ｂＣに対応したものになっている。すなわち、スライド溝２３３に形成された拘束溝２３６ａ、２３６ｂと、鍔部２３５に形成された縦溝２３７ａ、２３７ｂの円弧部２３７ａＣ、２３７ｂＣとは下面視で重合し、拘束溝２３６ａ、２３６ｂと縦溝２３７ａ、２３７ｂとは上下方向に連続する曲面を構成している。
【００３６】
また、手すりカバー２３０Ａのカバー凹部２３１の天面２３４には、細長いスリット２３８が左右方向に亘って設けられている。このスリット２３８には、後述するように、手すりカバー２３０Ａをブラケット２１０Ａにスライドさせて装着する際にブラケット２１０Ａのガイド突起２１８の上端が進入する。これにより、手すりカバー２３０Ａはガイド突起２１８に沿ってスライドし、装着作業がスムースに行われる。
【００３７】
次に、さらに図６も参照しつつ、手すりカバー２３０Ａの装着状態について説明する。
図６は、本実施形態に係る手すりカバー２３０Ａが装着された状態におけるブラケット２１０Ａ周辺の模式図であり、図６（ａ）は手すり２００の外観図、図６（ｂ）は図６（ａ）におけるＢ−Ｂ断面図、図６（ｃ）は図６（ｂ）におけるＣ−Ｃ断面図、図６（ｄ）は図６（ｃ）におけるＤ−Ｄ断面図、図６（ｅ）は図６（ｃ）におけるブラケット２１０Ａを除いたＥ視図である。いずれも、壁固定ボルト２５０の図示を省略している。
【００３８】
手すりカバー２３０Ａは、図３に矢印ＳＬで表す方向（図１に表す右側方）にスライドされてブラケット２１０Ａに対し装着される。その際にまず、先にブラケット２１０Ａに固定されていた固定板２６０の肩部２６２ａ、２６２ｂが、手すりカバー２３０Ａの段部収容部２３２を経てスライド溝２３３内に嵌入する。上述したように、図４に表す肩部２６２ａ、２６２ｂの外側面間の距離Ｗ１は、図５に表す対向するスライド溝２３３間の距離Ｗ４よりやや大きく形成されている。したがって、肩部２６２ａ、２６２ｂは、進入にあたりスライド溝２３３と当接して力を受け、互いに近づくよう弾性変形して撓み、手すりカバー２３０Ａはスライド溝２３３で外向きに反力を受ける。この反力に基づく摩擦力が作用することにより、手すりカバー２３０Ａをスライドさせるために、より大きな力を要することになる。しかしながら、相反する方向に作用するこれらの反力によって手すりカバー２３０Ａはガタつきが抑制されるため、装着した後の使用時には手すりカバー２３０Ａを安心して把持することができる。
【００３９】
手すりカバー２３０Ａをさらにスライドさせ、肩部２６２ａ、２６２ｂがスライド溝２３３の奥深くまで嵌入すると、次に係合突起２６４ａ、２６４ｂがスライド溝２３３内に嵌入し始める。図４に表す係合突起２６４ａ、２６４ｂの頂部側面２７１ａ、２７１ｂ間の距離Ｗ３は、上述の対向するスライド溝２３３間の距離Ｗ４よりやや大きく形成されている。したがって、係合突起２６４ａ、２６４ｂの頂部側面２７１ａ、２７１ｂは、進入にあたりスライド溝２３３と当接して力を受け、腕部２６３ａ、２６３ｂを内側に撓ませる。
【００４０】
この際、係合突起２６４ａ、２６４ｂの下方に設けられた調整突起２６７ａ、２６７ｂが、手すりカバー２３０Ａの鍔部２３５上に乗り上げる。すなわち、調整突起２６７ａ、２６７ｂには上述のように傾斜面２６８ａ、２６８ｂが形成されており、この傾斜面２６８ａ、２６８ｂは手すりカバー２３０Ａがスライドしてくることによって鍔部２３５の端部２３５Ｉと接触し、上向きの力を受ける。鍔部２３５の端部２３５Ｉより上向きの力を受けることにより、腕部２６３ａ、２６３ｂは上方へ弾性変形して撓み、調整突起２６７ａ、２６７ｂを上方へ変位させ、鍔部２３５上に乗り上げさせる。
【００４１】
さらに、手すりカバー２３０Ａがスライドされて図６（ｂ）及び図６（ｃ）の位置まで来ると、内側に変位していた係合突起２６４ａ、２６４ｂがスライド溝２３３の拘束溝２３６ａ、２３６ｂに嵌入する。それまでスライド溝２３３から作用する力で内方へ撓むよう変形していた固定板２６０の腕部２６３ａ、２６３ｂは、係合突起２６４ａ、２６４ｂがスライド溝２３３の拘束溝２３６ａ、２３６ｂの位置まで来た際に外方へ開くよう復元し、係合突起２６４ａ、２６４ｂの頂部側面２７１ａ、２７１ｂは拘束溝２３６ａ、２３６ｂの円弧部２３７ａＣ、２３７ｂＣと当接する。これにより、係合突起２６４ａ、２６４ｂとスライド溝２３３の拘束溝２３６ａ、２３６ｂとがそれぞれ係合する。
【００４２】
またその際に、鍔部２３５上に乗り上げていた（上方に変位していた）調整突起２６７ａ、２６７ｂが、鍔部２３５に設けられた縦溝２３７ａ、２３７ｂ内にそれぞれ落ち込む。そして、調整突起２６７ａ、２６７ｂの調整突起側面２７０ａ、２７０ｂは、縦溝２３７ａ、２３７ｂの円弧部２３７ａＣ、２３７ｂＣに当接する。これにより、調整突起２６７ａ、２６７ｂと縦溝２３７ａ、２３７ｂとがそれぞれ係合し、手すりカバー２３０Ａのブラケット２１０Ａへの装着が完了する。装着が完了した状態では、ブラケット２１０Ａのガイド突起２１８の上端と、手すりカバー２３０Ａのスリット２３８との間には、間隙ＣＬ１が形成される。また固定板２６０と手すりカバー２３０Ａの天面２３４との間には、間隙ＣＬ２が形成される。
【００４３】
以上のように、手すりカバー２３０Ａをブラケット２１０Ａに装着する際には、固定板２６０の係合突起２６４ａ、２６４ｂは、上方且つ手すりカバー２３０Ａの内方へ移動するよう構成されている。
【００４４】
次に、図７を参照しつつ、ブラケット２１０Ａに装着された状態から、手すりカバー２３０Ａに壁面１０３に対し垂直な方向（図１に表す左側方）にスライドさせる力が作用した場合について詳述する。
図７は、本実施形態に係る手すりカバー２３０Ａに外力が作用する様子を表す模式図であり、左欄は手すりカバー２３０Ａの下面視、右欄は手すりカバー２３０Ａの背面視（壁面１０３側から見た図）を表す。
【００４５】
図７（ａ）は、ブラケット２１０Ａに装着された手すりカバー２３０Ａに外力が作用していない状態を表す。この状態では、係合突起２６４ａ、２６４ｂは、その頂部側面２７１ａ、２７１ｂがそれぞれ円弧状の拘束溝２３６ａ、２３６ｂに当接するまで嵌入して係合している。また、調整突起２６７ａ、２６７ｂがそれぞれ下方の縦溝２３７ａ、２３７ｂに嵌入しており、さらに調整突起側面２７０ａ、２７０ｂがそれぞれ縦溝２３７ａ、２３７ｂと当接するまで嵌入して係合している。そして手すりカバー２３０Ａの端部は、ブラケット２１０Ａの当接部２１１との当接位置を示す基準線ＢＬの位置にある。
【００４６】
図７（ａ）に表す状態より、手すり２００の移設時や壁面１０３からの一時的な取り外しのため、手すりカバー２３０Ａに壁面１０３に対し垂直な方向（図１に表す左側方）にスライドさせる力を作用させた場合の係合突起２６４ａ、２６４ｂの変位について図７（ｂ）及び図７（ｃ）に表す。
【００４７】
図７（ａ）に表す状態から、手すりカバー２３０Ａに、壁面１０３に対し垂直な方向（図１に表す左側方）に力Ｆ３を作用させると、係合突起２６４ａ、２６４ｂに対し、手すりカバー２３０Ａは相対的に図の左方向へと移動する。すると、図７（ｂ）に矢印Ｃ１、Ｃ２で表すように、係合突起２６４ａ、２６４ｂは、それらの頂部側面２７１ａ、２７１ｂで円弧状の拘束溝２３６ａ、２３６ｂに沿い、矢印Ｈ１で表す向きに力を受ける。同時に、調整突起２６７ａ、２６７ｂの調整突起側面２７０ａ、２７０ｂにおいても、縦溝２３７ａ、２３７ｂの円弧部２３７ａＣ、２３７ｂＣに沿い、矢印Ｈ２で表す向きに力を受ける。したがって、係合突起２６４ａ、２６４ｂは、これら頂部側面２７１ａ、２７１ｂ及び調整突起側面２７０ａ、２７０ｂで受ける力により手すりカバー２３０Ａの内方へ移動する。係合突起２６４ａ、２６４ｂの頂部２６５ａ、２６５ｂが距離Ｄ２だけ移動し、拘束溝２３６ａ、２３６ｂより抜け出たとき、係合突起２６４ａ、２６４ｂと拘束溝２３６ａ、２３６ｂとの係合が解除される。
【００４８】
続いて図７（ｂ）に表す状態から、さらに手すりカバー２３０Ａに壁面１０３に対し垂直な方向に力Ｆ４を作用させると、図７（ｃ）に表すように、係合突起２６４ａ、２６４ｂは、その下方に設けられた調整突起２６７ａ、２６７ｂで矢印Ｖ１で表す上向きの力を受け、上方に移動する。詳述すると、係合突起２６４ａ、２６４ｂに対して相対的に図面の左側に手すりカバー２３０Ａが移動すると、図４に表す調整突起２６７ａ、２６７ｂの傾斜面２６９ａ、２６９ｂが縦溝２３７ａ、２３７ｂの直線部２３７ａＳ、２３７ｂＳと当接し、当接位置から反力として矢印Ｖ１で表すような上向きの力を受ける。この上向きの力によって、腕部２６３ａ、２６３ｂが撓み、係合突起２６４ａ、２６４ｂは上方へと移動し、調整突起２６７ａ、２６７ｂが鍔部２３５ａ、２３５ｂの上面まで乗り上げる（すなわち、調整突起２６７ａ、２６７ｂがスライド溝２３３内に収まる）。これにより、調整突起２６７ａ、２６７ｂと縦溝２３７ａ、２３７ｂとの係合が解除される。
【００４９】
以上のように、手すりカバー２３０Ａに壁面１０３に対して垂直な方向にスライドさせる力のみが作用する場合には、係合突起２６４ａ、２６４ｂと拘束溝２３６ａ、２３６ｂによる前後方向の係合と、調整突起２６７ａ、２６７ｂと縦溝２３７ａ、２３７ｂによる上下方向の係合を容易に解除し、手すりカバー２３０Ａの離脱を行うことができる。すなわち、手すりカバー２３０Ａをブラケット２１０Ａから離脱させるためには、係合突起２６４ａ、２６４ｂを手すりカバー２３０Ａの内方且つ上方に変位させて係合を解除する必要があるが、壁面１０３に対し垂直な方向にスライドさせる力のみが作用すると、円弧状の拘束溝２３６ａ、２３６ｂ及び、縦溝２３７ａ、２３７ｂの円弧部２３７ａＣ、２３７ｂＣによって係合突起２６４ａ、２６４ｂをカバー２３０Ａの内方に変形させるような力が作用し、それらの係合が容易に解除されるよう構成されているものである。
【００５０】
一方、腰掛便器１０２に着座した使用者が、起立動作のために手すりカバー２３０Ａに手を掛けることで（図２（ｂ）参照）、手すりカバー２３０Ａに後方且つ左側方斜め下への力が作用した場合を図７（ｄ）を参照しつつ説明する。このとき、手すりカバー２３０Ａに後方へ作用する力には、矢印Ｆ５で表すような水平方向への力成分と、矢印Ｆ６で表すような手すりカバー２３０Ａの前方から捲り上げるように作用する力成分とがある。
【００５１】
図６（ｄ）に表したように、間隙ＣＬ１、ＣＬ２が形成されていることから、手すりカバー２３０Ａには水平方向にガタつきが生じ、水平方向で後方へ矢印Ｆ５で表すような力成分によって手すりカバー２３０Ａは回転しようとする。ここで、上述のように拘束溝２３６ａ、２３６ｂ、及び、縦溝２３７ａ、２３７ｂの円弧部２３７ａＣ、２３７ｂＣは、下面視で点Ｏを中心とした半径Ｒの略円弧状に形成されている。したがって、矢印Ｆ５で表すような力が作用し、手すりカバー２３０Ａが点Ｏ近傍を中心として水平方向に回転しても、点Ｏから係合突起２６４ａ、２６４ｂの頂部側面２７１ａ、２７１ｂや調整突起側面２７０ａ、２７０ｂまでの距離はＲ（図５参照）から殆ど変化せず、頂部側面２７１ａ、２７１ｂ及び調整突起側面２７０ａ、２７０ｂは内向きへの力を受けることが無い。すなわち、手すりカバー２３０Ａを回転させるような力が作用しても、係合突起２６４ａ、２６４ｂと拘束溝２３６ａ、２３６ｂ、及び、調整突起２６７ａ、２６７ｂと縦溝２３７ａ、２３７ｂとの係合が解除されにくい構造となっている。
【００５２】
また、図７（ｄ）の左欄のように、係合突起２６４ａ、２６４ｂに対し相対的に拘束溝２３６ａ、２３６ｂ、縦溝２３７ａ、２３７ｂが回転した状態では、係合突起２６４ａの頂部２６５ａと、調整突起２６７ａの調整突起側面２７０ａが、それぞれ拘束溝２３６ａと縦溝２３７ａの円弧状となっている部分の端部近く（直線部２３７ａＳの近く）に配置される。すなわち、この状態からさらに、手すりカバー２３０Ａに矢印Ｆ７で表すようなスライドさせる力が作用しても、上述したように突起側面２７１ａが円弧状の拘束溝２３６ａに沿って移動し、さらに、調整突起側面２７０ａが縦溝２３７ａの円弧部２３７ａＣに沿って移動できる距離Ｃ３は極端に短くなっている。したがって、矢印Ｆ５で表すような力成分が手すりカバー２３０Ａに作用することにより、係合突起２６４ａは拘束溝２３６ａ及び縦溝２３７ａに沿った移動距離が短くなり係合が容易に解除されず、手すりカバー２３０Ａはブラケット２１０Ａから離脱し難くなる構造とされている。
【００５３】
また、間隙ＣＬ１、ＣＬ２が形成されていることから、手すりカバー２３０Ａにはスライド方向回りにもガタつきが生じ、矢印Ｆ６で表すように手すりカバー２３０Ａの前方から捲り上げるような力成分が作用すると、図７（ｄ）の右欄のように、係合突起２６４ａ、２６４ｂに対して手すりカバー２３０Ａが傾斜する。この手すりカバー２３０Ａの傾斜が大きなものになると、係合突起２６４ａは、それまで嵌入していた拘束溝２３６ａから、拘束溝２３６ａの下方に連続している縦溝２３７ａ内に嵌入して係合する。一方、係合突起２６４ｂは、その上面２６４ｂＵがカバー凹部２３１の天面２３４によって上方への移動が規制されるとともに、下方の調整突起２６７ｂは一部がまだ縦溝２３７ｂ内に嵌入して係合した状態となっている。
【００５４】
この状態から、矢印Ｆ７で表すように壁面１０３に対し垂直な方向に手すりカバー２３０Ａをスライドさせる力が作用すると、係合突起２６４ａとその下方の調整突起２６７ａは、当接して係合している縦溝２３７ａから、それぞれ矢印Ｈ３、Ｈ４に表すような手すりカバー２３０Ａ内方への反力を受ける。係合突起２６４ａは、嵌入している縦溝２３７ａの深さであるＤ１だけ手すりカバー２３０Ａ内方へ移動しなければ縦溝２３７ａとの係合が解除されないが、この深さＤ１は、手すりカバー２３０Ａの傾斜前に係合していた拘束溝２３６ａの深さＤ２よりも、深いものとされている。したがって、手すりカバー２３０Ａが傾斜すると、係合突起２６４ａと縦溝２３７ａとの係合を解除するためには、係合突起２６４ａを深さＤ１だけ手すりカバー２３０Ａの内方へ移動させるように腕部２６３ａを変形させる、非常に大きな力を手すりカバー２３０Ａに作用させる必要がある。このようにして、手すりカバー２３０Ａの離脱防止が図られている。
【００５５】
一方、係合突起２６４ｂは、その下方の調整突起２６７ｂで、当接する縦溝２３７ｂから矢印Ｖ２で表すような上向きの力を受ける。しかしながら、係合突起２６４ｂはその上面２６４ｂＵがカバー凹部２３１の天面２３４に当接し、矢印Ｖ３で表すような下向きの反力を受けて上方への移動が規制されているため、調整突起２６７ｂは縦溝２３７ｂから離脱できない状態となっている。すなわち、手すりカバー２３０Ａのさらなる離脱防止が図られている。
【００５６】
以上説明したように、本実施形態に係る手すりカバーの固定構造においては、手すりカバーに設けられた拘束溝及び縦溝と、固定板に設けられた係合突起及び調整突起とが、状況に応じて係合力を好適に変化させる係合力調整部として機能している。すなわち、手すりの施工時や一時的な取り外しの際などには、手すりカバーとブラケットとの係合力を小さく抑えることが可能となり、作業性が向上する。一方、手すりの使用時には、手すりカバーに作用する力を利用して係合力が増すよう構成されており、手すりの使用時に手すりカバーがブラケットから離脱してしまう事態を防止することができる。
【００５７】
以上、具体例を参照しつつ、本発明の実施の形態について説明した。しかし、本発明は、これらの具体例に限定されるものではない。上記実施例では、手すりカバーの幅方向の一端から捲り上げるような力が作用すると、一方の係合突起の上方への移動が規制され、他方の係合突起が縦溝内に嵌入する。しかし、本発明はこれに限られず、他方の係合突起が縦溝内に嵌入するだけでも、手すりカバーの離脱防止を図ることができるものである。
【００５８】
本発明の手すりカバーの固定構造に含まれる各要素については、当業者が適宜設計変更することにより本発明を同様に実施し、同様の効果を得ることができるものも本発明の要旨を含む限り、本発明の範囲に包含される。
【図面の簡単な説明】
【００５９】
【図１】本発明の実施の形態に係る手すりカバーの固定構造を備えたトイレ室の模式図である。
【図２】本実施形態に係る手すりの使用形態を表す模式図である。
【図３】本実施形態に係る手すりの上端部の分解図である。
【図４】本実施形態に係る固定板の外観図である。
【図５】本実施形態に係る手すりカバーの外観図である。
【図６】本実施形態に係る手すりカバーが装着された状態におけるブラケット周辺の模式図である。
【図７】本実施形態に係る手すりカバーに外力が作用する様子を表す模式図である。
【符号の説明】
【００６０】
１００ トイレ室、２００ 手すり、２０１ 握りバー、２１０Ａ、２１０Ｂ ブラケット、２３０Ａ、２３０Ｂ  手すりカバー、２３３  スライド溝、２３５  鍔部、２３６ａ、２３６ｂ  拘束溝、２３７ａ、２３７ｂ  縦溝、２３７ａＳ、２３７ｂＳ  直線部、２３７ａＣ、２３７ｂＣ  円弧部、２５０  壁固定ボルト、２５１  手すりバー固定ボルト、２６０  固定板、２６４ａ、２６４ｂ  係合突起
【図１】
2010077701.tif 000003
【図２】
2010077701.tif 000004
【図３】
2010077701.tif 000005
【図４】
2010077701.tif 000006
【図５】
2010077701.tif 000007
【図６】
2010077701.tif 000008
【図７】
2010077701.tif 000009